(57)【要約】【課題】書籍を開いた状態で安定して保持することができる書籍設置装置及びこれを備えたスキャナ装置を提供する。【解決手段】書籍設置装置２は、書籍を開いた状態で書籍の表裏の一対の表紙をそれぞれ支持する一対の表紙支持部４，４と、一対の表紙支持部４，４の基端側を中心とする回転角度を変更する角度変更機構部と、一対の表紙支持部４，４それぞれの基端側に配置される一対の開口部４３，４３と、を備える。スキャナ装置１は、書籍設置装置２を備える。【選択図】図２
2017100420.tif 000002
【特許請求の範囲】
【請求項１】
書籍を開いた状態で書籍の表裏の一対の表紙をそれぞれ支持する一対の表紙支持部と、
前記一対の表紙支持部の基端側を中心とする回転角度を変更する角度変更機構部と、
前記一対の表紙支持部それぞれの基端側に配置される一対の開口部と、
を備える書籍設置装置。
【請求項２】
請求項１に記載された書籍設置装置において、
書籍の背部を把持する把持部
を備える書籍設置装置。
【請求項３】
請求項１又は請求項２に記載された書籍設置装置において、
書籍の設置高さを調整する高さ調整部
を備える書籍設置装置。
【請求項４】
請求項１から請求項３のいずれか１項に記載された書籍設置装置と、
前記表紙支持部に対向して配置され、書籍の開いたページを撮影する撮影部と、
を備えるスキャナ装置。
【発明の詳細な説明】
【技術分野】
【０００１】
本発明は、書籍設置装置及びこれを備えたスキャナ装置に関するものである。
【背景技術】
【０００２】
従来、書籍を電子化する分野では、書籍の背部を両側面において挟み込んで書籍の背部を固定することで、書籍を開いた状態で保持するものがある（例えば、特許文献１参照）。
【先行技術文献】
【特許文献】
【０００３】
【特許文献１】特開平１１−１３９０３９号公報
【発明の概要】
【発明が解決しようとする課題】
【０００４】
特許文献１に記載の書籍設置装置は、例えば、ハードカバーの書籍の背部を挟み込む場合に、書籍の背部を両側面において挟み込む。そのため、ハードカバーの表裏の表紙を同時に挟み込んでしまうため、書籍が閉じた状態となり、書籍を開いた状態で保持することは難しい。
【０００５】
本発明の課題は、書籍を開いた状態で安定して保持することができる書籍設置装置及びこれを備えたスキャナ装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、書籍（１００）を開いた状態で書籍の表裏の一対の表紙（１１０，１１０）をそれぞれ支持する一対の表紙支持部（４，４）と、前記一対の表紙支持部の基端側を中心とする回転角度を変更する角度変更機構部と、前記一対の表紙支持部それぞれの基端側に配置される一対の開口部（４３，４３）と、を備える書籍設置装置（２）である。
第２の発明は、第１の発明の書籍設置装置（２）において、書籍の背部（１２０）を把持する把持部を備える書籍設置装置である。
第３の発明は、第１の発明の書籍設置装置（２）又は第２の発明の書籍設置装置（２）において、書籍の設置高さを調整する高さ調整部（５）を備える書籍設置装置である。
第４の発明は、第１の発明から第３の発明のいずれか１つの書籍設置装置（２）と、前記表紙支持部に対向して配置され、書籍の開いたページを撮影する撮影部（１０ａ，１０ｂ）と、を備えるスキャナ装置（１）である。
【発明の効果】
【０００８】
本発明によれば、書籍を開いた状態で安定して保持することができる書籍設置装置及びこれを備えたスキャナ装置を提供することができる。
【図面の簡単な説明】
【０００９】
【図１】実施形態のスキャナ装置の全体構成を示す斜視図である。
【図２】実施形態のスキャナ装置の全体構成を示す正面図である。
【図３】実施形態のスキャナ装置の全体構成を示す平面図である。
【図４】実施形態の書籍設置装置の第１使用状態を説明する図である。
【図５】実施形態の書籍設置装置の第２使用状態を説明する図である。
【図６】実施形態の書籍設置装置の第３使用状態を説明する図である。
【図７】実施形態の書籍設置装置の第４使用状態を説明する図である。
【発明を実施するための形態】
【００１０】
（実施形態）
以下、図面等を参照して、本発明の実施形態について説明する。
図１は、実施形態のスキャナ装置１の全体構成を示す斜視図である。図２は、実施形態のスキャナ装置１の全体構成を示す正面図である。図３は、実施形態のスキャナ装置１の全体構成を示す平面図である。
なお、各図では、説明を明確にするために、ＸＹＺの直交座標系を用いて、スキャナ装置１の左右方向を左右方向Ｘとし、スキャナ装置１の前後方向を前後方向Ｙとし、スキャナ装置１の左右方向Ｘ及び前後方向Ｙに直交する方向を鉛直方向Ｚとする。
【００１１】
本実施形態に係るスキャナ装置１は、例えば、書籍を電子化する際に用いられる。スキャナ装置１は、例えば、書籍を撮影する際に、断裁せずに開いた状態で書籍設置装置２の上に置き、書籍に非接触な状態で、上方から、画像をカメラで撮影する、いわゆる、オーバーヘッド型スキャナである。
【００１２】
スキャナ装置１は、図１〜図３に示すように、書籍設置装置２と、撮影部としてのカメラ１０ａ，１０ｂと、照明部（図示せず）と、を備える。
カメラ１０ａ，１０ｂは、図２に示すように、後述する書籍設置装置２の一対の表紙支持部４，４に対向して配置され、書籍の開いたページを撮影する。照明部（図示せず）は、カメラ１０ａ，１０ｂで撮影する書籍のページに光を照射する。
【００１３】
書籍設置装置２には、断裁されていない書籍が開いた状態で設置される（図４〜図７参照）。書籍設置装置２は、図１〜図３に示すように、把持部としての載置把持部３と、一対の表紙支持部４，４と、高さ調整部５と、把持機構部（図示せず）と、角度変更機構部（図示せず）と、把持操作ダイヤル６１と、一対の角度変更ダイヤル６２，６２と、高さ調整レバー６３と、ケース体７１と、一対の支持部端部板７２，７２と、底板７３と、を備える。ケース体７１は、外形が直方体形状である。ケース体７１の内部には、把持機構部（図示せず）や、角度変更機構部（図示せず）などが配置される。
【００１４】
載置把持部３は、ケース体７１の上部に配置される。載置把持部３は、載置把持部３の上面に書籍の背部を載置することが可能である共に、書籍の背部を把持することが可能である。
【００１５】
載置把持部３は、把持部構成部材３１，３１を有する。把持部構成部材３１，３１は、直方体形状の棒状に形成され、書籍設置装置２の左右方向Ｘの略中央において、前後方向Ｙに延びる。把持部構成部材３１，３１は、書籍設置装置２の左右方向Ｘの内側の端部において、弾性把持部材３１ａを有する。弾性把持部材３１ａは、前後方向Ｙに延びる直方体形状に形成される。
【００１６】
把持部構成部材３１，３１は、書籍設置装置２の左右方向Ｘに並んで配置され、互いに対向して平行に配置される。把持部構成部材３１，３１は、把持操作ダイヤル６１を回転することで、把持機構部（図示せず）により、左右方向Ｘにおいて、互いが近づく方向又は互いが離間する方向に移動する。把持部構成部材３１，３１は、互いが当接する位置から左右方向Ｘに所定距離離間する位置まで移動する。把持操作ダイヤル６１は、ケース体７１の前面に取り付けられている。
【００１７】
載置把持部３においては、把持部構成部材３１，３１を互いに離間させた状態で、把持部構成部材３１，３１の間に書籍の背部を挿入する。そして、把持操作ダイヤル６１を回転させて、把持部構成部材３１，３１を互いが近づく方向に移動させることで、書籍の背部を把持することができる。なお、把持部構成部材３１，３１は、書籍の背部を一対の側面において挟み込んで把持する。書籍１００の背部１２０は、背面１２１と、側面１２２，１２２と、を有する（図７参照）。側面１２２，１２２は、背面１２１の幅方向の両端部から、表裏の表紙１１０，１１０側に、背面１２１に直交する方向に延びる（図７参照）。
【００１８】
これにより、載置把持部３の把持部構成部材３１，３１は、書籍の背部を把持する把持部として機能する。把持部構成部材３１，３１が離間する所定距離は、載置把持部３に把持させる書籍の背部の背面の幅の長さ（書籍の厚さ）に応じて設定される。把持部構成部材３１，３１が書籍の背部を把持する場合には、弾性把持部材３１ａ，３１ａが書籍の背部の一対の側面に当接するため、書籍の背部に傷を付けることが低減される。
【００１９】
把持部構成部材３１，３１が離間する距離が、書籍の背部の背面の幅の長さよりも短い場合には、把持部構成部材３１，３１の上面には、書籍の背部が載置される。この場合には、載置把持部３は、書籍の背部を載置する載置部として機能する。
【００２０】
表紙支持部４、４は、載置把持部３に書籍の背部が載置された状態又は把持された状態で、書籍を開いた状態で書籍の表裏の一対の表紙をそれぞれ支持する。
表紙支持部４、４は、それぞれ、支持部本体４１と、一対の棒状腕部４２，４２と、を有する。
【００２１】
支持部本体４１，４１は、長方形形状の平板状に形成され、それぞれ、水平方向に対して所定の傾斜角度を有した状態で、書籍設置装置２の左右方向Ｘの中央から外側に離れるにしたがって斜め上方に延びる。
【００２２】
棒状腕部４２，４２は、棒状に形成され、表紙支持部４、４の基端側において、支持部本体４１の前後方向Ｙの両端部から、支持部本体４１と同じ傾斜角度で、支持部端部板７２側に延びる。棒状腕部４２は、一端部が支持部本体４１に接続され、他端部が回転軸部材４ａを介して支持部端部板７２に接続されている。
【００２３】
支持部端部板７２，７２は、書籍設置装置２の左右方向Ｘの略中央において、ケース体５４の上面における前後方向の両端部に配置される。支持部端部板７２，７２は、鉛直方向Ｚ及び左右方向Ｘに平行な板状に形成され、ケース体５４の上面から上方に向けて立設される。図２に示すように、支持部端部板７２には、回転軸部材４ａを介して、棒状腕部４２が回転可能に取り付けられる。
【００２４】
表紙支持部４の基端側には、開口部４３が形成される。開口部４３は、支持部本体４１と一対の棒状腕部４２，４２と把持部構成部材３１とに囲まれる開口である。本実施形態においては、開口部４３は、前後方向Ｙに延びる長方形形状に開口する。開口部４３には、書籍の種類や使用状態に応じて、書籍の背部が配置されたり、書籍の表裏の表紙が挿通されたり、左右方向Ｘに移動する載置把持部３の把持部構成部材３１，３１における左右方向Ｘの外側の端部が配置される。
【００２５】
表紙支持部４、４は、それぞれ、独立に、基端側に設けられる第１回転軸Ｊ１を中心に回転するように構成される。表紙支持部４、４は、それぞれ、独立に、水平方向に対する傾斜角度を変更させることができ、その変更した所定の傾斜角度を維持する。
【００２６】
角度変更ダイヤル６２，６２は、それぞれ、表紙支持部４、４に対応して、ケース体７１の左右方向Ｘの両側の側部に、取り付けられている。角度変更ダイヤル６２，６２は、回転させることで、それぞれ、対応する表紙支持部４の傾斜角度を、別々に変更することができる。本実施形態においては、表紙支持部４の傾斜角度を、例えば、水平方向に対して、３０°〜４５°の範囲で、別々に調整可能である。
【００２７】
角度変更機構部（図示せず）は、表紙支持部４，４の基端側を中心とする回転角度を変更する。角度変更機構部（図示せず）は、例えば、ギア機構部（図示せず）を備え、角度変更ダイヤル６２と回転軸部材４ａとを接続する。角度変更機構部（図示せず）は、回転軸部材４ａを第１回転軸Ｊ１を中心に回転して、表紙支持部４，４の基端側を中心とする回転角度を変更するように、角度変更ダイヤル６２の操作を表紙支持部４に伝達する。
【００２８】
以上のように構成される一対の表紙支持部４、４は、それぞれ、角度変更ダイヤル６２を回転することで、角度変更機構部（図示せず）を介して、回転軸部材４ａが第１回転軸Ｊ１を中心に回転して、傾斜角度が変更される。
【００２９】
高さ調整部５は、書籍の設置高さを調整する。高さ調整部５は、脚部５１と、昇降機構（図示せず）と、を有する。
【００３０】
脚部５１は、長方形形状の枠状の２つの脚部枠体５１ａ，５１ｂが組み合わされて構成される。脚部枠体５１ａ，５１ｂは、一方の脚部枠体５１ａが左右方向Ｘの一方側が低くなるように傾斜した状態で配置され、かつ、他方の脚部枠体５１ｂが左右方向Ｘの他方側が低くなるように傾斜した状態で配置され、互いが組み合わされている。２つの脚部枠体５１ａ，５１ｂは、一方の脚部枠体５１ａの内部に他方の脚部枠体５１ｂが挿入された状態で、左右方向Ｘの中央において、前後方向に延びる回転軸部材５１ｃにより連結されている。脚部枠体５１ａ，５１ｂは、一方の脚部枠体５１ａの上部及び他方の脚部枠体５１ｂの上部は同じ高さになるように配置される。２つの脚部枠体５１ａ，５１ｂは、回転軸部材５１ｃが第２回転軸Ｊ２を中心に回転することで、一方の脚部枠体５１ａの上部及び他方の脚部枠体５１ｂの上部の高さの位置を変更することができる。脚部５１の上部には、ケース体７１が取り付けられる。
【００３１】
高さ調整部５は、高さ調整レバー６３の操作により、昇降機構（図示せず）を介して、脚部５１の高さを変更して、ケース体７１の高さを調整する。昇降機構（図示せず）は、例えば、ギア機構（図示せず）を備え、高さ調整レバー６３と回転軸部材５１ｃとを接続する。昇降機構（図示せず）は、回転軸部材５１ｃを第２回転軸Ｊ２を中心に回転して、載置把持部３及び表紙支持部４，４の高さを変更するように、高さ調整レバー６３の操作を脚部５１に伝達する。
以上のように構成される高さ調整部５においては、載置把持部３及び表紙支持部４，４の高さを調整することができ、鉛直方向Ｚにおいて、カメラ１０ａ，１０ｂとの位置関係を調整できる。
【００３２】
次に、本実施形態に係る書籍設置装置２の第１使用状態〜第４使用状態における使用方法ついて、図面を参照しながら説明する。図４は、実施形態の書籍設置装置２の第１使用状態を説明する図である。図５は、実施形態の書籍設置装置２の第２使用状態を説明する図である。図６は、実施形態の書籍設置装置２の第３使用状態を説明する図である。図７は、実施形態の書籍設置装置２の第４使用状態を説明する図である。
以下の第１使用状態〜第４使用状態においては、カメラ１０ａ，１０ｂにおける撮影状態が良好となるように、書籍１００の設置高さを、高さ調整部５により調整した状態で行われる。
【００３３】
（第１使用状態）
まず、書籍設置装置２の第１使用状態における使用方法について説明する。
第１使用状態で使用される書籍１００は、ハードカバーの書籍１００の厚さ（書籍１００の背部１２０の背面１２１の幅方向の長さ）が、載置把持部３の上面の左右方向Ｘにおいて、開口部４３，４３の間隔以下の厚さ（長さ）の書籍である。なお、載置把持部３は、把持部構成部材３１，３１が当接して閉じた状態でもよいし、把持部構成部材３１，３１が離間して開いた状態でもよい。
【００３４】
第１使用状態においては、使用者は、図４に示すように、ハードカバーの書籍１００の撮影するページを開いた状態で、書籍１００の背部１２０の背面１２１を、載置把持部３の上面に載置する。書籍１００の表側の表紙１１０は、一方の表紙支持部４に支持され、書籍１００の裏側の表紙１１０は、他方の表紙支持部４に支持される。図４に示すように、書籍１００の表裏の表紙１１０，１１０を、書籍１００の表紙１１０の外側の端部側において、ゴムバンド８を用いて保持してもよい。
【００３５】
書籍設置装置２の第１使用状態においては、ハードカバーの書籍１００の背部１２０は、表紙支持部４の基端側において、開口部４３，４３に達していないため、開口部４３，４３には配置されていない。
【００３６】
そして、使用者は、表紙支持部４，４の傾斜角度を、それぞれ、角度変更ダイヤル６２で調整する。本実施形態においては、書籍の開きの癖等に応じて、表紙支持部４の傾斜角度を、例えば、水平方向に対して、３０°〜４５°の範囲で、別々に調整する。これにより、表紙支持部４，４の傾斜角度を調整することで、書籍１００を開いた状態で安定して支持することができる。また、例えば、撮影する書籍１００のページの位置によっては、開いたページのページ数量が一方側又は他方側に偏ってしまう場合がある。このような場合には、表紙支持部４，４の傾斜角度を、それぞれ別々に適宜調整することで、表紙支持部４，４は、書籍１００を開いた状態で安定して支持することができる。
【００３７】
このように、書籍設置装置２の第１使用状態においては、書籍１００の背部１２０の背面１２１が載置把持部３の上面に載置された状態で、表紙支持部４，４が書籍１００の表裏の表紙１１０，１１０を支持するため、書籍１００を開いた状態で安定して保持できる。
【００３８】
この状態で、書籍１００の開いたページをカメラ１０ａ，１０ｂで撮影を行う。カメラ１０ａ，１０ｂで撮影した画像は、例えば、パソコン（図示せず）などに転送されて、パソコンのハードディスクなどに保存される。
【００３９】
その後、複数のページを撮影する場合には、書籍１００のページをめくりながら、カメラ１０ａ，１０ｂによる撮影を繰り返す。ここで、例えば、書籍１００のページを一定ページ数めくる毎に、角度変更ダイヤル６２を操作して、表紙支持部４，４の傾斜角度を別々に調整してもよい。これにより、書籍を開く角度を調整して、書籍１００を開いた状態で安定して保持できる。書籍１００のページは、作業者が手でめくってもよいし、書籍１００のページをめくる装置（図示せず）を使用してめくってもよい。
【００４０】
（第２使用状態）
書籍設置装置２の第２使用状態における使用方法について説明する。
第２使用状態で使用される書籍１００は、ハードカバーの書籍１００の厚さ（書籍１００の背部１２０の背面１２１の幅方向の長さ）が、載置把持部３の上面の左右方向Ｘにおいて、開口部４３，４３の間隔よりも厚い（長い）書籍である。
以下の各使用状態では、第１使用状態と重複する説明は、適宜省略する。
【００４１】
書籍設置装置２の第２使用状態においては、図５に示すように、ハードカバーの書籍１００の背部１２０の左右方向Ｘの両端部は、表紙支持部４の基端部側の開口部４３，４３に配置されている。これにより、書籍１００の厚さが厚い場合でも、書籍１００の背部１２０の両端部が表紙支持部４に当たらずに、書籍１００の背部１２０の両端部を開口部４３，４３に逃がすことができる。よって、書籍１００の厚さが厚いものについて、書籍１００を開いた状態で安定して保持することができる。
【００４２】
このように、書籍設置装置２の第２使用状態においては、ハードカバーの書籍１００の厚さが厚いものについて、書籍１００の背部１２０の背面１２１が載置把持部３の上面に載置された状態で、表紙支持部４，４が書籍１００の表裏の表紙１１０，１１０を支持するため、書籍１００を開いた状態で安定して保持できる。
【００４３】
（第３使用状態）
書籍設置装置２の第３使用状態における使用方法について説明する。
第３使用状態で使用される書籍１００は、例えば、比較的小さな書籍であって、表紙１１０がハードカバーで構成され、開いた状態を保持しにくい書籍である。
第３使用状態においては、使用者は、図６に示すように、ハードカバーの書籍１００を開いた状態で、表裏の表紙１１０，１１０を一対の開口部４３，４３に挿通させる。
【００４４】
書籍設置装置２の第３使用状態においては、ハードカバーの書籍１００の表裏の表紙１１０，１１０は、開口部４３，４３に挿通された状態で、表紙支持部４，４の下方に配置され、表紙支持部４，４の支持部本体４１における開口部４３側の縁部に係止されている。そのため、表紙がハードカバーであって開いた状態を保持しにくい書籍１００について、書籍１００を開いた状態で安定して保持することができる。
【００４５】
（第４使用状態）
書籍設置装置２の第４使用状態の使用方法について説明する。
第４使用状態で使用される書籍１００は、例えば、ハードカバーのように硬い布や厚紙による表紙を用いずに、軟らかいソフトカバーの表紙１１０を用いた書籍である。
【００４６】
第４使用状態においては、使用者は、図７に示すように、ソフトカバーの書籍１００を開いた状態で、書籍１００の背部１２０を、載置把持部３に把持させて、撮影する書籍１００のページを開く。載置把持部３は、書籍１００の背部１２０の両側の側面１２２，１２２において、書籍１００の背部１２０を挟み込む。
【００４７】
ここで、本実施形態においては、表紙支持部４，４の基端側において開口部４３，４３が形成される。表紙支持部４，４の基端側において開口部４３，４３が形成されたことで、載置把持部３の把持部構成部材３１，３１は、開口部４３，４３の内部を移動できるため、載置把持部３の把持部構成部材３１，３１の左右方向Ｘの移動範囲を大きくすることができる。よって、ソフトカバーの書籍１００の厚さが厚い場合であっても、把持部構成部材３１，３１を左右方向Ｘに大きく広げて、厚さが厚い書籍１００の背部１２０を、把持部構成部材３１，３１で把持することができる。
【００４８】
このように、書籍設置装置２の第４使用状態においては、ソフトカバーの書籍１００について、書籍１００の背部１２０が載置把持部３に把持された状態で、表紙支持部４，４が書籍１００の表裏の表紙１１０，１１０を支持するため、書籍１００を開いた状態で安定して保持できる。
【００４９】
以上のように構成される書籍設置装置２においては、第１使用状態〜第４使用状態に説明するように、表紙の硬さや書籍の厚さが異なる書籍１００について、書籍１００を開いた状態で安定して保持することができる。
【００５０】
以上より、本実施形態の発明には、以下のような効果がある。
（１）書籍設置装置２は、書籍を開いた状態で書籍の表裏の表紙をそれぞれ支持する一対の表紙支持部４，４と、表紙支持部４，４の基端側を中心とする回転角度を変更する角度変更機構部と、表紙支持部４，４それぞれの基端側に配置される開口部４３，４３と、を備える。
そのため、書籍の厚さが厚いものについて、書籍の背部の両端部を開口部４３，４３に配置することができる。詳細には、書籍の厚さが厚い場合であっても、開口部４３，４３を設けることにより、書籍１００の背部１２０の両端部が表紙支持部４に当たらずに、書籍の背部の両端部を逃がすスペースを確保して、書籍１００の背部１２０を載置把持部３に載置することできる。このように、書籍の厚さが厚い場合でも、書籍の背部の両端部を開口部４３，４３に逃がすことができる。よって、書籍の厚さが異なるものについて、書籍を開いた状態で安定して保持することができる。
また、表紙がハードカバーであって開いた状態を保持しにくい書籍の場合に、開口部４３，４３に表紙を挿通させて、表紙を表紙支持部４，４の下方に逃がして、表紙支持部４，４の支持部本体４１における開口部４３側の縁部に係止させることができる。これにより、表紙がハードカバーであって開いた状態を保持しにくい書籍について、書籍を開いた状態で安定して保持することができる。
以上のように、表紙の硬さや書籍の厚さが異なる様々な書籍について、書籍を開いた状態で安定して保持することができる。
【００５１】
（２）書籍設置装置は、書籍の背部を把持する載置把持部３を備える。そのため、ソフトカバーの書籍を設置する場合に、ソフトカバーの書籍の背部を載置把持部３で把持することで、ソフトカバーの書籍を開いた状態で安定して保持することができる。
【００５２】
（３）書籍設置装置は、書籍の設置高さを調整する高さ調整部５を備える。そのため、カメラ１０ａ，１０ｂで撮影する場合に、カメラ１０ａ，１０ｂの高さの位置に応じて、書籍の高さを、撮影に最適な高さに設置することができる。
【００５３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５４】
（変形形態）
（１）上述の実施形態において、表紙支持部４，４の回転角度を別々に変更するように構成したが、これに限定されない。表紙支持部４，４の両方の回転角度を、１つの操作ダイヤルの操作で同時に変更するように構成してもよい。これにより、１つの操作ダイヤルで、簡単に、表紙支持部４，４の両方の傾斜角度を同時に調整して、書籍の開く角度を調整できる。
【００５５】
（２）上述の実施形態において、一対の表紙支持部４の回転軸部材４ａを左右方向Ｘにおいて同じ位置に設けたが、これに限られない。一対の表紙支持部４の回転軸部材４ａのそれぞれを左右方向Ｘに離間させて設けてもよい。
【００５６】
（３）上述の実施形態において、表紙支持部４と載置把持部３とを別々に動作するように構成したが、これに限定されない。例えば、一対の表紙支持部４の回転軸部材４ａのそれぞれを左右方向Ｘに離間して設けて、載置把持部３及び表紙支持部４，４を、一体的に、左右方向Ｘの外側へ移動するように構成してもよい。この場合には、載置把持部３を開くと同時に、表紙支持部４，４が外側に移動する。そのため、厚さが厚いソフトカバーの書籍について、書籍の背部を容易に載置把持部３に把持させることができ、厚さが厚いソフトカバーの書籍を開いた状態で安定して保持できる。
【００５７】
（４）上述の実施形態において、表紙支持部４を表紙支持部４の傾斜する方向に伸縮するように構成してもよい。これにより、表紙支持部４の傾斜する方向に表紙が長い書籍を表紙支持部４に設置する場合に、表紙支持部４を伸ばすことで、書籍を開いた状態で安定して設置できる。また、表紙支持部４を左右方向Ｘに長尺な表紙支持部４に交換できるように構成してもよい。この場合においても、表紙支持部４の傾斜する方向に表紙が長い書籍を表紙支持部４に設置する場合に、左右方向Ｘに長尺な表紙支持部４に交換することで、書籍を開いた状態で安定して設置できる。
【００５８】
（５）上述の実施形態において、書籍を開いた状態を保持するために、書籍の開いたページにアクリル板などの透明な保持部材を載せるように構成してもよい。これにより、透明な保持部材におり書籍の開いたページを保持して、書籍をより安定した状態で設置できる。
（６）上述の実施形態において、書籍１００の設置高さを高さ調整部５により調整したが、これに限定されない。例えば、カメラ１０ａ，１０ｂの高さ調整を行うカメラ高さ調整部を設けて、カメラ高さ調整部により、カメラ１０ａ，１０ｂと書籍１００と間の距離を調整してもよい。
（７）上述の実施形態の第１使用状態〜第３使用状態において、ハードカバーの書籍を使用する例を示したが、これに限定されない。載置把持部３の上面に載置可能であれば、第１使用状態〜第３使用状態において、ソフトカバーの書籍を使用してもよい。また、第４使用状態において、ソフトカバーの書籍を使用する例を示したが、これに限定されない。第４使用状態において、ハードカバーの書籍の背部を載置把持部３で把持して、ハードカバーの書籍を使用してもよい。
【符号の説明】
【００５９】
１  スキャナ装置
２  書籍設置装置
３  載置把持部（把持部）
４  表紙支持部
５  高さ調整部
１０ａ，１０ｂ  カメラ（撮影部）
４３  開口部
１００  書籍
１１０  表紙
１２０  背部
【図１】
2017100420.tif 000003
【図２】
2017100420.tif 000004
【図３】
2017100420.tif 000005
【図４】
2017100420.tif 000006
【図５】
2017100420.tif 000007
【図６】
2017100420.tif 000008
【図７】
2017100420.tif 000009